(57)【要約】【課題】ドキュメントファイリングデータの再印刷時に拡縮率もしくは印字位置が補正済みのラスターイメージを印刷する際に、両面印刷設定等の印刷設定が変更となり、該ラスターイメージの印字面が変更となる場合でも、所望のトナー画像を得ること。【解決手段】画像形成装置１は、ＣＰＵ１０１と、ＨＤＤ１０３と、を有する。画像形成装置１では、該ＨＤＤ１０３に記憶された所定の倍率値で拡縮されたラスターイメージを該ＨＤＤ１０３から読み出して印刷する際に、両面印刷の設定が変更されたか否かに応じて、該ラスターイメージが印字される印字面の倍率値と、該ラスターイメージ生成時の倍率値から、該ラスターイメージを当該印字面に印刷する際の倍率値を算出し、該算出した倍率値を用いてＣＰＵ１０１によってラスターイメージの拡縮を行って印刷する。【選択図】図２
2018062081.tif 000002
【特許請求の範囲】
【請求項１】
所定の用紙に対して両面印刷を行う画像形成装置において、
プリントデータからラスターイメージを生成する際に所定の倍率値でラスターイメージの拡縮を行う拡縮手段と、
印刷する用紙の各用紙面に対する倍率値を記憶する第１記憶手段と、
該用紙面に対する倍率値に応じて拡縮されたラスターイメージを記憶する第２記憶手段と、を有し、
該第１記憶手段に記憶された所定の倍率値で拡縮されたラスターイメージを該第２記憶手段から読み出して印刷する際に、両面印刷の設定が変更されたか否かに応じて、該ラスターイメージが印字される印字面の倍率値と、該ラスターイメージ生成時の倍率値から、該ラスターイメージを当該印字面に印刷する際の倍率値を算出し、該算出した倍率値を用いてラスターイメージの拡縮を行い印刷する、
ことを特徴とする画像形成装置。
【請求項２】
請求項１に記載の画像形成装置であって、
該拡縮手段は、ドキュメントファイリングデータの再印刷において、前記算出した倍率値を用いてプリントエンジンの機械的な構造を制御してラスターイメージの拡縮を行い印刷するか否かを、印刷ジョブの設定の変更により、当該ラスターイメージの用紙の印字面が変更となる場合に行う、
ことを特徴とする画像形成装置。
【請求項３】
請求項１又は２に記載の画像形成装置であって、
該拡縮手段は、ドキュメントファイリングデータの再印刷において、前記算出した倍率値を用いてプリントエンジンの機械的な構造を制御してラスターイメージの拡縮を行い印刷するか否かを、用紙第一面と用紙第二面に対する所定の倍率値が異なる場合に行う、
ことを特徴とする画像形成装置。
【請求項４】
請求項１乃至３の何れか１項に記載の画像形成装置であって、
ドキュメントファイリングデータの再印刷において、
印刷ジョブに白紙ページが含まれている場合に、
算出した倍率値を用いてプリントエンジンの機械的な構造を制御してラスターイメージの拡縮を行い印刷するか否かを、
ドキュメントファイリングデータ生成時に記憶した白紙ページ数及び白紙ページ位置情報と、再印刷時のジョブ設定情報の白紙ページ印刷許可設定と、から、用紙の印字面が変更となる場合に行う、
ことを特徴とする画像形成装置。
【請求項５】
請求項１乃至４の何れか１項に記載の画像形成装置であって、
第１のモードと、該第１のモードよりも速度を優先した第２のモードを有し、
該第２のモード下においては、ドキュメントファイリングデータの保存時には、ラスターイメージの拡縮を行い、再印刷時に該ラスターイメージの拡縮を加味して、プリントエンジンの機械的な構造を制御して印刷を行う、
ことを特徴とする画像形成装置。
【請求項６】
請求項５に記載の画像形成装置であって、
前記第１のモード下においては、ドキュメントファイリングデータの保存時には、ラスターイメージの拡縮を行わず、再印刷時にプリントエンジンの機械的な構造を制御して印刷を行う、
ことを特徴とする画像形成装置。
【請求項７】
請求項１乃至６の何れか１項に記載の画像形成装置において、
保存したプリントデータからラスターイメージの再生成を行う、
ことを特徴とする画像形成装置。
【請求項８】
所定の用紙に対して両面印刷を行い、
プリントデータからラスターイメージを生成する際に所定の倍率値でラスターイメージの拡縮を行う拡縮手段と、
印刷する用紙の各用紙面に対する倍率値を記憶する第１記憶手段と、
該用紙面に対する倍率値に応じて拡縮されたラスターイメージを記憶する第２記憶手段と、を有する画像形成装置で実行される画像形成方法であって、
該第１記憶手段に記憶された所定の倍率値で拡縮されたラスターイメージを該第２記憶手段から読み出して印刷する際に、両面印刷の設定が変更されたか否かに応じて、該ラスターイメージが印字される印字面の倍率値と、該ラスターイメージ生成時の倍率値から、該ラスターイメージを当該印字面に印刷する際の倍率値を算出し、該算出した倍率値を用いてラスターイメージの拡縮を行い印刷するステップを含む、
ことを特徴とする画像形成方法。
【請求項９】
所定の用紙に対して両面印刷を行い、
プリントデータからラスターイメージを生成する際に所定の倍率値でラスターイメージの拡縮を行う拡縮手段と、
印刷する用紙の各用紙面に対する倍率値を記憶する第１記憶手段と、
該用紙面に対する倍率値に応じて拡縮されたラスターイメージを記憶する第２記憶手段と、を有する画像形成装置を制御するコンピュータを、
該第１記憶手段に記憶された所定の倍率値で拡縮されたラスターイメージを該第２記憶手段から読み出して印刷する際に、両面印刷の設定が変更されたか否かに応じて、該ラスターイメージが印字される印字面の倍率値と、該ラスターイメージ生成時の倍率値から、該ラスターイメージを当該印字面に印刷する際の倍率値を算出し、該算出した倍率値を用いてラスターイメージの拡縮を行い印刷するように機能させる、
ことを特徴とするプログラム。
【発明の詳細な説明】
【技術分野】
【０００１】
本発明は、ドキュメントファイリングデータの再印刷時に拡縮率もしくは印字位置が補正済みのラスターイメージを印刷するための、画像形成装置、画像形成方法及びプログラムに関する。
【背景技術】
【０００２】
従来より、レーザープリンタ等の画像形成装置がある。このような画像形成装置では、用紙にトナーを熱により定着して印刷を行なうため、用紙自体が収縮し、用紙に印刷されたトナー画像も縮小してしまう。このため、両面印刷のように同一の用紙に複数回の定着を行う場合、用紙第一面（表面）と用紙第二面（裏面）に同一のラスターイメージを印刷しても、用紙の大きさが変化しているため、表裏でトナー画像の大きさや印字位置が一致しないとういう問題が発生する。また、用紙第一面（表面）のみに印刷を行う場合（片面印刷）であっても、熱定着で用紙の大きさが変化するため、所望の大きさのトナー画像が得られない問題が発生する。これらの問題を解決するためにラスターイメージを拡大もしくは縮小し、また、印字位置を変更して印刷を行うことで、所望のトナー画像を得る方法が知られている。
【０００３】
特許文献１及び２に記載の技術では、ＬＳＵ（Laser scanner unite）ポリゴン制御や搬送制御で変更することでラスターイメージの拡縮を行い、所望のトナー画像を得る方法（プリントエンジンの機械的な構造を制御した拡縮：ＬＳＵ制御による拡縮）が開示されている。このような技術では、表裏で印刷時の拡縮率が異なる場合、両面印刷の印字面の切り替え時に、ＬＳＵポリゴンの回転が安定するまでの待ち時間が発生したり、搬送速度低下による印刷速度が低下したり、搬送速度・感光体回転速度等の切り替え時間が発生したりして、プリント速度が低下する。
このため、特許文献３に記載の技術では、ホストコンピュータから送信されるプリントデータからラスターイメージを生成する際に、予め拡縮率を補正済みのラスターイメージを生成することでトナー画像を補正して印刷する方法（プリンタＲＩＰ（Raster Image Processor）による拡縮）で、プリント速度の低下を抑えつつ、所望のトナー画像を得ることができる方法が開示されている。
【先行技術文献】
【特許文献】
【０００４】
【特許文献１】特開２００９−２９００３号公報
【特許文献２】特開２００４−２９５１４号公報
【特許文献３】特開２０００−２５５１２４号公報
【発明の概要】
【発明が解決しようとする課題】
【０００５】
しかしながら、上述したような特許文献３に記載されるようなプリンタＲＩＰによる拡縮技術では、ドキュメントファイリングデータの再印刷を行う場合、拡縮率もしくは印字位置補正済みのラスターイメージを使用して印刷することになる。このため、両面設定が変更されて用紙の印字面が変わった場合や、給紙トレイの用紙入れ替え等により、ドキュメントファイリングデータ生成時から拡縮率が変更されている場合、そのまま補正済みラスターイメージを印刷すると、大きさのずれ、印字位置のずれが発生して、所望のトナー画像が得られなかった。この場合、再度、ＰＣ（Personal Computer）から送信したプリントデータからラスターイメージを生成する必要があるが、プリントデータを生成した際のドキュメントデータがＰＣ等に保持されていない場合、ラスターイメージの再生成ができない。
【０００６】
本発明は、このような状況に鑑みてなされたものであり、ドキュメントファイリングデータの再印刷時に拡縮率もしくは印字位置が補正済みのラスターイメージを印刷する際に、両面印刷設定等の印刷設定が変更となり、該ラスターイメージの印字面が変更となる場合でも、適切なサイズで印刷を行うことができる。
【課題を解決するための手段】
【０００７】
本発明の第１の観点によれば、所定の用紙に対して両面印刷を行う画像形成装置において、プリントデータからラスターイメージを生成する際に所定の倍率値でラスターイメージの拡縮を行う拡縮手段と、印刷する用紙の各用紙面に対する倍率値を記憶する第１記憶手段と、該用紙面に対する倍率値に応じて拡縮されたラスターイメージを記憶する第２記憶手段と、を有し、該第１記憶手段に記憶された所定の倍率値で拡縮されたラスターイメージを該第２記憶手段から読み出して印刷する際に、両面印刷の設定が変更されたか否かに応じて、該ラスターイメージが印字される印字面の倍率値と、該ラスターイメージ生成時の倍率値から、該ラスターイメージを当該印字面に印刷する際の倍率値を算出し、該算出した倍率値を用いてラスターイメージの拡縮を行い印刷する、ことを特徴とする画像形成装置が提供される。
【０００８】
本発明の第２の観点によれば、所定の用紙に対して両面印刷を行い、プリントデータからラスターイメージを生成する際に所定の倍率値でラスターイメージの拡縮を行う拡縮手段と、印刷する用紙の各用紙面に対する倍率値を記憶する第１記憶手段と、該用紙面に対する倍率値に応じて拡縮されたラスターイメージを記憶する第２記憶手段と、を有する画像形成装置で実行される画像形成方法であって、該第１記憶手段に記憶された所定の倍率値で拡縮されたラスターイメージを該第２記憶手段から読み出して印刷する際に、両面印刷の設定が変更されたか否かに応じて、該ラスターイメージが印字される印字面の倍率値と、該ラスターイメージ生成時の倍率値から、該ラスターイメージを当該印字面に印刷する際の倍率値を算出し、該算出した倍率値を用いてラスターイメージの拡縮を行い印刷するステップを含む、ことを特徴とする画像形成方法が提供される。
【０００９】
本発明の第３の観点によれば、所定の用紙に対して両面印刷を行い、プリントデータからラスターイメージを生成する際に所定の倍率値でラスターイメージの拡縮を行う拡縮手段と、印刷する用紙の各用紙面に対する倍率値を記憶する第１記憶手段と、該用紙面に対する倍率値に応じて拡縮されたラスターイメージを記憶する第２記憶手段と、を有する画像形成装置を制御するコンピュータを、該第１記憶手段に記憶された所定の倍率値で拡縮されたラスターイメージを該第２記憶手段から読み出して印刷する際に、両面印刷の設定が変更されたか否かに応じて、該ラスターイメージが印字される印字面の倍率値と、該ラスターイメージ生成時の倍率値から、該ラスターイメージを当該印字面に印刷する際の倍率値を算出し、該算出した倍率値を用いてラスターイメージの拡縮を行い印刷するように機能させる、ことを特徴とするプログラムが提供される。
【発明の効果】
【００１０】
本発明によれば、ドキュメントファイリングデータの再印刷時に拡縮率もしくは印字位置が補正済みのラスターイメージを印刷する際に、両面印刷設定等の印刷設定が変更となり、該ラスターイメージの印字面が変更となる場合でも、所望のトナー画像を得ることができる。
【図面の簡単な説明】
【００１１】
【図１】本発明の印刷システムを適用可能な画像形成装置の構成例を示す図である。
【図２】本発明の実施形態に係る画像形成装置のハードウェア構成を示すブロック図である。
【図３】本発明の画像形成措置のＨＤＤに記憶されるドキュメントファイリングデータ内の印刷ジョブデータの構成の一例を説明する図である。
【図４】ドキュメントファイリングデータの再印刷時の印字面と補正倍率設定の一例を示す図である。
【図５】ドキュメントファイリングデータの再印刷時の印刷指示を行う操作画面の一例を示す図である。
【図６】図３の構成を有する画像形成装置によって実行される印刷実行処理の一例を説明するためのフローチャートである。
【図７】図３の構成を有する画像形成装置によって実行される印刷実行処理の一例を説明するためのフローチャートである。
【図８】図３の構成を有する画像形成装置によって実行される印刷実行処理の一例を説明するためのフローチャートである。
【図９】図３の構成を有する画像形成装置によって実行される印刷実行処理の一例を説明するためのフローチャートである。
【図１０】図３の構成を有する画像形成装置によって実行される印刷実行処理の一例を説明するためのフローチャートである。
【発明を実施するための形態】
【００１２】
以下、本発明をその実施の形態を示す図面に基づき具体的に説明する。実施の形態では、本発明の画像形成装置を、複合機、プリンタのような印刷装置に適用した場合を例として説明する。実施形態における画像形成装置は、ホストコンピュータを含め印刷システムを構成し、接続されたホストコンピュータから文字、図形、写真等の画像データをプリンタ言語の形式で取得し、印刷可能な出力画像データを生成して画像を形成する。
【００１３】
＜第１の実施形態＞
印刷システムは、図２に示すように、画像形成装置１と、ホストコンピュータ２００で構成される。画像形成装置１は、通信路を介して、ホストコンピュータ２００と通信可能に接続される。通信路は、例えば、シリアル回線、パラレル回線、又はＬＡＮ（Local Area Network）等のネットワークにより実現される。
【００１４】
図１は、本実施の形態における画像形成装置１の構成例を示す例示図である。図１においては図２に示すプリンタコントローラ１００及び操作パネル１２０は図示されておらず、図２の画像形成部１１１に対応する部分を示している。画像形成装置１は、外部から取得した画像データに応じて、所定の記録用紙に対して多色又は単色の画像を形成する。また、画像形成装置１は、露光ユニット１１、現像器１２ａ〜１２ｄ、感光体ドラム１３ａ〜１３ｄ、帯電器１５ａ〜１５ｄ、クリーナユニット１４ａ〜１４ｄ、中間転写ベルトユニット１８、定着ユニット２２と、用紙搬送路Ｓ、給紙トレイ２０及び排紙トレイ２９等を有している。
【００１５】
本実施の形態における画像形成装置１で扱われる画像データは、ブラック（Ｋ）、シアン（Ｃ）、マゼンダ（Ｍ）、イエロー（Ｙ）の各色を用いたカラー画像に応じたものである。したがって、現像器１２ａ〜１２ｄ、感光体ドラム１３ａ〜１３ｄ、帯電器１５ａ〜１５ｄ、クリーナユニット１４ａ〜１４ｄは、各色に応じた４種類の潜像を形成するように、各色に対応した４つの画像ステーションを構成している。
【００１６】
感光体ドラム１３ａ〜１３ｄは、画像形成装置１の上部に配置されている。帯電器１５ａ〜１５ｄは、感光体ドラム１３ａ〜１３ｄの表面を所定の電位に均一に帯電させるための帯電手段である。感光体ドラム１３ａ〜１３ｄは、図１に示すように、接触型のローラ型又はブラシ型の帯電器の他、チャージャー型の帯電器が用いられてもよい。露光ユニット１１は、図１に示すようにレーザ照射部及び反射ミラーを備えたレーザスキャニングユニット（LSU）を用いる構成の他に、発光素子をアレイ状に並べた例えばＥＬ又はＬＥＤ書込みヘッドを用いる構成もある。
【００１７】
帯電された感光体ドラム１３ａ〜１３ｄを、入力された画像データに応じて露光することにより、その表面に画像データに応じた静電潜像を形成する。現像器１２ａ〜１２ｄは、それぞれの感光体ドラム１３ａ〜１３ｄ上に形成された静電潜像を（Ｋ、Ｃ、Ｍ、Ｙ）のトナーにより顕像化するものである。
【００１８】
クリーナユニット１４ａ〜１４ｄは、現像・画像転写後における感光体ドラム１３ａ〜１３ｄ上の表面に残留したトナーを除去・回収するものである。
【００１９】
中間転写ベルトユニット１８は、感光体ドラム１３ａ〜１３ｄの上方に配置されている。中間転写ベルトユニット１８は、中間転写ベルト１７、中間転写ベルト駆動ローラ１７１、中間転写ベルト従動ローラ１７２、中間転写ベルトテンション機構１７３、中間転写ローラ１６ａ〜１６ｄ、及び中間転写ベルトクリーニングユニット１９を備えている。中間転写ベルト駆動ローラ１７１、中間転写ベルトテンション機構１７３、中間転写ローラ１６ａ〜１６ｄ、中間転写ベルト従動ローラ１７２等は、中間転写ベルト１７を張架し、矢印Ｂ方向に回転駆動させるものである。
【００２０】
中間転写ローラ１６ａ〜１６ｄは、中間転写ベルトユニット１８の中間転写ベルトテンション機構１７３の中間転写ローラ取付部に回転可能に支持されている。中間転写ローラ１６ａ〜１６ｄは、感光体ドラム１３ａ〜１３ｄのトナー像を、中間転写ベルト１７上に転写するための転写バイアスを与える。
【００２１】
また、中間転写ベルト１７は、夫々の感光体ドラム１３ａ〜１３ｄに接触するように設けられ、感光体ドラム１３ａ〜１３ｄに形成された各色のトナー像を中間転写ベルト１７に順次に重ねて転写する。これにより、中間転写ベルト１７上にカラーのトナー像（多色トナー像）が形成される。この中間転写ベルト１７は、厚さ１１００μｍ〜１１５０μｍ程度のフィルムを用いて無端状に形成されている。
【００２２】
感光体ドラム１３ａ〜１３ｄから中間転写ベルト１７へのトナー像の転写は、中間転写ベルト１７の裏側に接触している中間転写ローラ１６ａ〜１６ｄによって行なわれる。中間転写ローラ１６ａ〜１６ｄには、トナー像を転写するために高電圧の転写バイアス（トナーの帯電極性（−）とは逆極性（＋）の高電圧）が印加されている。中間転写ローラ１６ａ〜１６ｄは、直径１８〜１１０ｍｍの金属（例えばステンレス）軸をベースとし、その表面が導電性の弾性材（例えばＥＰＤＭ、発砲ウレタン等）により覆われているローラである。この導電性の弾性材により、中間転写ベルト１７に対して均一に高電圧を印加することができる。本実施の形態では、転写電極としてローラ形状を使用しているが、それ以外にブラシ等を用いてもよい。
【００２３】
上述したように、各感光体ドラム１３ａ〜１３ｄ上で各色相に応じて顕像化された静電像は、中間転写ベルト１７で積層され、装置に入力された画像情報となる。このように、積層された画像情報は中間転写ベルト１７の回転により、後述の用紙と中間転写ベルト１７の接触位置に配置される転写ローラ２１により、用紙上に転写される。この際、中間転写ベルト１７と転写ローラ２１とは所定ニップで圧接されると共に、転写ローラ２１にはトナー像を用紙に転写させるための電圧が印加される（トナーの帯電極性（−）とは逆極性（＋）の高電圧）。更に、転写ローラ２１が前記ニップを定常的に得るために、転写ローラ２１若しくは中間転写ベルト駆動ローラ１７１の何れか一方を硬質材料（金属等）とし、他方を弾性ローラ等の軟質材料（弾性ゴムローラ、又は発砲性樹脂ローラ等々）とする。
【００２４】
また、感光体ドラム１３ａ〜１３ｄと接触することにより中間転写ベルト１７に付着したトナー、又は転写ローラ２１によって用紙上に転写が行なわれず中間転写ベルト１７上に残存したトナーは、次工程でトナーの混色を発生させる原因となる。したがって、これらのトナーは、中間転写ベルトクリーニングユニット１９によって除去・回収されるように設定されている。中間転写ベルトクリーニングユニット１９には、中間転写ベルト１７に接触するクリーニング部材として例えば、クリーニングブレードが備えられている。クリーニングブレードが接触する中間転写ベルト１７は、裏側から中間転写ベルト従動ローラ１７２で支持されている。
【００２５】
給紙トレイ２０は、画像形成に使用する記録用紙を蓄積しておくためのトレイであり、画像形成装置１の露光ユニット１１の下側に設けられている。また、画像形成装置１の上部に設けられている排紙トレイ２９は、印刷済みの記録用紙をフェイスダウンで載置するためのトレイである。
【００２６】
また、本実施形態の画像形成装置１には、給紙トレイ２０の記録用紙を転写ローラ２１又は定着ユニット２２を経由させて排紙トレイ２９に送るための、略垂直形状の用紙搬送路Ｓが設けられている。さらに、給紙トレイ２０から排紙トレイ２９までの用紙搬送路Ｓの近傍には、ピックアップローラ２８ａ，２８ｂ、レジストローラ２３、転写ローラ２１、定着ユニット２２、記録用紙を搬送する搬送ローラ２７ａ〜２７ｈ等が配されている。
【００２７】
搬送ローラ２７ａ〜２７ｈは、記録用紙の搬送を促進・補助するための小型のローラであり、用紙搬送路Ｓに沿って複数設けられている。ピックアップローラ２８ａは、給紙トレイ２０の端部に備えられ、給紙トレイ２０から記録用紙を１枚毎に用紙搬送路Ｓに供給する呼び込みローラである。
【００２８】
また、レジストローラ２３は、用紙搬送路Ｓを搬送されている記録用紙を一旦保持するものである。そして、感光体ドラム１３ａ〜１３ｄ上のトナー像の先端と記録用紙の先端を合わせるタイミングで記録用紙を転写部（転写ローラ２１）に搬送する機能を有している。
【００２９】
定着ユニット２２は、ヒートローラ２４，加圧ローラ２５等を備えており、ヒートローラ２４及び加圧ローラ２５は、記録用紙を挟んで回転するようになっている。また、ヒートローラ２４は、図示しない温度検出器からの信号に基づいて所定の定着温度となるように設定されており、加圧ローラ２５とともに記録用紙を熱圧着することにより、記録用紙に転写された多色トナー像を溶融・混合・圧接し、記録用紙に対して熱定着させる機能を有している。
【００３０】
なお、多色トナー像の定着後の記録用紙は、搬送ローラ２７ｈ，２７ｇ，２７ｃによって用紙搬送路Ｓの反転排紙経路に搬送され、反転された状態で（多色トナー像を下側に向けて）、排紙トレイ２９上に排出されるようになっている。
【００３１】
次に、記録用紙搬送経路を詳細に説明する。前記画像形成装置１には予め記録用紙を収納する給紙トレイ２０が配置されると共に、ユーザが少数枚の印字を行なう時に給紙トレイ２０の開閉動作を行わなくてもよいように、給紙トレイ２０の他に手差しトレイ２６が配置されている。これら両方のトレイ２０，２６からの給紙を行なうために、各々ピックアップローラ２８ａ，２８ｂが配置され、各トレイ２０，２６から記録用紙を１枚ずつ搬送路に導くようになっている。
【００３２】
記録用紙の片面のみに印字を行なう片面印字が要求された場合、給紙トレイ２０から搬送される記録用紙は、搬送路中の搬送ローラ２７ａによってレジストローラ２３まで搬送され、記録用紙の先端と中間転写ベルト１７上の画像情報の先端を整合するタイミングで転写ローラ２１に搬送され、記録用紙上に画像情報が書き込まれる。その後、記録用紙は定着ユニット２２を通過することによって記録用紙上の未定着トナーが熱で溶融・固着され、搬送ローラ２７ｂを経て搬送ローラ２７ｃから排紙トレイ２９上に排出される。
【００３３】
他方、手差しトレイ２６に積載される記録用紙はピックアップローラ２８ｂによって給紙され、複数の搬送ローラ２７ｆ、２７ｅ、２７ｄを経てレジストローラ２３に到達し、それ以降は給紙トレイ２０から給紙される記録用紙と同様の経過を経て排紙トレイ２９に排出される。
【００３４】
また、印字要求内容が両面印字要求の時は、上述したように、片面印字が終了して定着ユニットの各ローラ２４，２５等を通過した記録用紙の後端が搬送ローラ２７ｃでチャックされ、排紙ローラが逆回転することによって搬送ローラ２７ｇ，２７ｈに導かれた後、レジストローラ２３を経て裏面印字が行われた後に排紙トレイ２９に排出される。
【００３５】
図２は、本発明の実施形態に係る画像形成装置１のハードウェア構成を示すブロック図である。
画像形成装置１は、図２に示すように、プリンタコントローラ１００と、プリントエンジン１１０と、操作パネル１２０と、を備える。
即ち、画像形成装置１は、プリンタコントローラ１００、上述したような給紙、排紙、転写、定着等を行なう画像形成部１１１を含むプリントエンジン１１０、及び所定画像データに基づく印刷指示等を受け付ける操作パネル１２０を有する。プリントエンジン１１０と操作パネル１２０とが、プリンタコントローラ１００に接続されている。また、プリンタコントローラ１００には、ページ記述言語形式のデータを送信してくるホストコンピュータ２００が接続されている。
【００３６】
プリンタコントローラ１００は、ＣＰＵ（Central Processing Unit）１０１と、ＲＡＭ（Random Access Memory）１０２と、ＨＤＤ（Hard Disk Drive）１０３と、ネットワークコントローラ１０４と、ビデオコントローラ１０５と、を有する。
【００３７】
ＣＰＵ１０１は、プリンタコントローラ１００の各部を制御し、ＯＳや各種制御用プログラムを読み込み、読み込んだＯＳや制御用プログラムをＲＡＭ１０２に展開させながら、これらのＯＳや各種制御用プログラムに基づいた演算処理を行なう。ＣＰＵ１０１が、演算結果に基づいて画像形成装置１内のハードウェアを制御することにより、画像形成装置１の機能は実現される。つまり、画像形成装置１は、ハードウェアとソフトウェアが協働することにより実現することができる。
【００３８】
ＲＡＭ１０２は、ＣＰＵ１０１がプログラムを実行する上で一時的に必要とされるデータを格納し、ホストコンピュータ２００から送られてくるデータ、印刷すべき画像データ等の各種データを一時格納する。
ＨＤＤ１０３は、印刷すべき画像データ等の各種データを記憶する。ＨＤＤ１０３には、後述するドキュメントファイリングデータ等の再印刷用の各種データが記憶される。
【００３９】
ネットワークコントローラ１０４は、他の装置（本実施形態においては、ホストコンピュータ２００）との通信を行う部分である。ネットワークコントローラ１０４による通信により、ホストコンピュータ２００との間で通信を行って、ホストコンピュータ２００から印刷に必要なプリントデータを取得する。
【００４０】
ビデオコントローラ１０５は、プリントエンジン１１０（詳細には、後述する画像形成部１１１）に対して、印刷用の画像データを出力する制御を行う。
【００４１】
プリントエンジン１１０は、用紙に対して印刷を行う。プリントエンジン１１０は、画像形成部１１１を有する。
画像形成部１１１は、ビデオコントローラ１０５から出力された画像データ（詳細には、後述するラスターイメージ）に基づいて紙等の印刷記録媒体（以下、「用紙」という。）に印刷を行う。画像形成部１１１は、具体的には、感熱体ドラム、熱定着機構、用紙送り機構等の機械的な構造により構成される。また、画像形成部１１１は、機械的な構造を制御することにより、用紙に対して拡縮率の異なる印刷を行うことができる。
【００４２】
操作パネル１２０は、ユーザの操作を受け付けて、プリンタコントローラ１００に対して、受け付けた操作を出力可能なタッチパネル等により構成される。
【００４３】
このように構成される画像形成装置１では、印刷に際して、再印刷に用いるドキュメントファイリングデータを生成して、ＨＤＤ１０３に保存する。
詳細には、画像形成装置１では、印刷に際して、ホストコンピュータ２００から受信したプリントデータをラスターイメージへ変換し、変換したラスターイメージと、印刷のジョブ設定の情報（以下、「ファイリング時ジョブ設定情報」という。）から印刷ジョブデータを形成して、ドキュメントファイリングデータに含めて、ＨＤＤ１０３に保存する。
【００４４】
また、画像形成装置１では、両面印刷において、用紙第一面と用紙第二面の倍率値が設定される場合、プリントデータからの変換時に所定の倍率値に応じて拡縮したラスターイメージを生成して、最終的に印刷ジョブデータとしてドキュメントファイリングデータに含めて、ＨＤＤ１０３に保存する。画像形成装置１では、これらの変換処理にメモリであるＲＡＭ１０２を利用する。
【００４５】
さらに、画像形成装置１では、ドキュメントファイリングデータを用いて再印刷する場合、ＨＤＤ１０３に保存されたドキュメントファイリングデータに含まれる印刷ジョブデータを読み出して伸張しプリントエンジン１１０の画像形成部１１１に送信する。画像形成部１１１では、書込み系（上述したレーザ露光ユニットやＬＥＤ露光ユニット等の露光ユニット）、搬送系（上述した搬送ローラ）を制御して印刷を実行することになる。
なお、画像形成装置１では、再印刷時に、プリントエンジンの機械的な構造を制御した拡縮を行う場合、書込み系及び搬送系を制御して、所定の補正倍率値に応じた拡縮（ＬＳＵ制御による拡縮）を実現する。
【００４６】
ここで、ドキュメントファイリングデータ内の印刷ジョブデータについて説明する。
図３は、本発明の画像形成装置１のＨＤＤ１０３に記憶されるドキュメントファイリングデータ内の印刷ジョブデータの構成の一例を説明する図である。
【００４７】
ドキュメントファイリングデータは、図３に示すように、例えば、複数の印刷ジョブデータ（印刷ジョブデータＡ，Ｂ）を含む。
【００４８】
印刷ジョブデータは、ファイリング時ジョブ設定情報と、ラスターイメージから構成される。
【００４９】
ファイリング時ジョブ設定情報は、プリントデータからラスターイメージを生成した際の印刷のジョブ設定の情報で構成される。
具体的には、ファイリング時ジョブ設定情報は、両面印刷の有無（ＯＮ／ＯＦＦ）、白紙プリント禁止の有無（ＯＮ／ＯＦＦ）、白紙ページ数、白紙ページ番号（Ｎｏ．）、倍率設定（用紙第一面、用紙第二面）と、プリントデータの保存の有無（あり／なし）を含む。
【００５０】
ラスターイメージは、各ページのイメージ画像（本実施形態においては、ビットマップ画像）である。
【００５１】
具体的には、印刷ジョブデータＡは、ファイリング時ジョブ設定情報（［両面印刷：ＯＮ］，［白紙プリント禁止：ＯＦＦ］，［白紙ページ数：１］，［白紙ページＮＯ．：２］，［倍率値設定−用紙第一面：１００．２００，用紙第二面：９９．６００］，［プリントデータ保存：なし］）となっており、４ページ分のラスターイメージにより構成される。
【００５２】
印刷ジョブデータＢは、ファイリング時ジョブ設定情報（［両面印刷：ＯＦＦ］，［白紙プリント禁止：ＯＦＦ］，［白紙ページ数：０］，［白紙ページＮＯ．：Ｎ／Ａ］，［倍率値設定−用紙第一面：１００．０００，用紙第二面：１００．０００］，［プリントデータ保存：なし］）となっており、４ページ分のラスターイメージにより構成される。
【００５３】
図４は、ドキュメントファイリングデータの再印刷時の印字面と補正倍率設定の一例を示す図である。
例えば、上述した印刷ジョブデータＡのように、全４ページの白紙ページを含むラスターイメージを保持する印刷ジョブデータにおいて、図４（ａ）に示すように、ファイリング時ジョブ設定情報が［両面印刷：ＯＮ］，［白紙プリント禁止：ＯＦＦ］であり、再印刷指示時の両面印刷設定において［両面印刷：ＯＦＦ］，［白紙プリント禁止：ＯＦＦ］が指定された場合には、以下のような再印刷時の補正倍率値となる。
【００５４】
なお、補正倍率値は、次の式（１）により算出される。
１００×再印刷設定での印字面の倍率値／ファイリング時の印字面の倍率値・・・（１）
【００５５】
両面印刷ファイリング時設定：印字面（倍率値）は、Ｐａｇｅ１：用紙第一面（１００．２），白紙ページのＰａｇｅ２：用紙第二面（９９．６），Ｐａｇｅ３：用紙第一面（１００．２），Ｐａｇｅ４：用紙第二面（９９．６）となる。
再印刷時設定：印字面（倍率値）は、［両面印刷：ＯＦＦ］の片面印刷であるため、Ｐａｇｅ１〜Ｐａｇｅ４：用紙第一面（１００．２）となる。
補正倍率値は、ファイリング時に用紙第一面（１００．２）であるＰａｇｅ１は、変更なく［１００.０］となり、ファイリング時に用紙第二面（９９．６）であるＰａｇｅ２は、補正倍率値算出式：１００．２／９９．６で［１００.６］となり、ファイリング時に用紙第一面（１００．２）であるＰａｇｅ３は、変更なく［１００.０］となり、ファイリング時に用紙第二面（９９．６）であるＰａｇｅ４は、補正倍率値算出式：１００．２／９９．６で［１００.６］となる。
【００５６】
また、図４（ｂ）に示すように、再印刷指示時の両面印刷設定において［両面印刷：ＯＮ］，［白紙プリント禁止：ＯＦＦ］が指定された場合には、以下のような再印刷時の補正倍率値となる。
【００５７】
再印刷時設定：印字面（倍率値）は、［両面印刷：ＯＮ］の両面印刷であるため、Ｐａｇｅ１：用紙第一面（１００．２）となり、Ｐａｇｅ２は白紙ページのため印刷なしとなり、Ｐａｇｅ２が印刷されないため印字面が繰り上がりＰａｇｅ３：用紙第二面（９９．６）となり、同じく繰り上がりＰａｇｅ４：用紙第一面（１００．２）となる。即ち、Ｐａｇｅ２は印字なしとなるため、Ｐａｇｅ３の印字面が用紙第一面から用紙第二面に変更となる。Ｐａｇｅ４の印字面が、用紙第二面から用紙第一面に変更となる。この場合、Ｐａｇｅ３とＰａｇｅ４について、補正倍率値算出式から補正倍率値を算出することになる。
補正倍率値は、ファイリング時に用紙第一面（１００．２）であるＰａｇｅ１は、変更なく［１００．０］となり、ファイリング時に用紙第一面（１００．２）であるＰａｇｅ３は、用紙第二面（９９．６）となるため、補正倍率値算出式：９９．６／１００．２で［９９．６］となり、ファイリング時に用紙第二面（９９．６）であるＰａｇｅ４は、用紙第一面（１００．２）となるため、補正倍率値算出式：１００．２／９９．６で［１００．６］となる。
【００５８】
なお、ドキュメントファイリングされた印刷ジョブデータに対して、特定のページの削除が行われた場合も、印字面が変更となる。例えば、図３に示す印刷ジョブデータにおいて、２ページ目が削除された場合、この印刷ジョブデータを再印刷する場合、印字面が変更となるため、補正倍率値を算出することになる。
【００５９】
また、ドキュメントファイリングデータの再印刷時の印刷指示は、操作パネル１２０に表示される画面で行われる。
ドキュメントファイリングデータの再印刷時の印刷指示を行う操作画面には、図５の例に示すように、［部数：１〜９９］と、［用紙選択：自動〜用紙サイズ指定］と、［両面印刷：ＯＮ／ＯＦＦ］と、［白紙プリント禁止：ＯＮ／ＯＦＦ］の選択画面と、Ｐａｇｅのプレビュー画面が表示される。
なお、図５は、ドキュメントファイリングデータの再印刷時の印刷指示を行う操作画面の一例を示す図である。
【００６０】
上述したように構成される画像形成装置１では、両面印刷の表裏の印刷倍率合わせで、予め決められた拡縮率で表裏それぞれに対して画像の生成及び印刷を行う必要があるが、通常印刷／再印刷等で、プリント生産性の低下を軽減しつつ、予め決められた拡縮率での印刷を実現することができる。
【００６１】
また、本実施形態の画像形成装置１では、再印刷に際して、「画質優先」モードと、「速度優先」モードと、の２つのモードが設定可能に構成される。
【００６２】
「画質優先」モードとは、速度優先モードのときよりはプリント速度が低下するが、良好な画質で再印刷を実現するモードである。
【００６３】
「画質優先」モード下では、ドキュメントファイリングデータ生成時は、プリンタＲＩＰによる拡縮を実施せず、再印刷時に、ＬＳＵ制御による拡縮を実施する。
【００６４】
これに対して、「速度優先」モードとは、プリント速度を低下させずに、再印刷を実現するモードである。
【００６５】
「速度優先」モード下では、ドキュメントファイリングデータ生成時は、プリンタＲＩＰによる拡縮を実施する。再印刷時は、拡縮率の変更が必要になった場合には、プリンタＲＩＰによる拡縮率を加味した上で、ＬＳＵ制御による拡縮を実施する。これにより、プリンタＲＩＰによる拡縮を最大限利用することができ、プリンタ生産性を低下させずに、印字倍率合わせが可能となる。
【００６６】
なお、モード設定を行わない通常印刷時においては、プリンタＲＩＰによる拡縮を実行し、画像データを生成して、印刷を行う。これにより、プリンタ生産性を低下させずに、印字倍率合わせが可能となる。
【００６７】
次に、図３の構成を有する画像形成装置１によって実行される印刷実行処理について説明する。本実施形態の印刷実行処理は、モード（画質優先／速度優先モード）に応じて、ドキュメントファイリングデータの保存内容や、再印刷時の拡縮の制御を変更する。
図６〜８は、図３の構成を有する画像形成装置１によって実行される印刷実行処理の一例を説明するためのフローチャートである。まず、比較的に通常印刷時の印刷実行処理について説明し、その後、本実施形態の再印刷を目的とした印刷実行処理を、ドキュメントファイリングデータ保存時、ドキュメントファイリングデータを用いた再印刷時の順に説明する。
【００６８】
［通常印刷］
ステップＳ１１において、ＣＰＵ１０１は、対応するラスターイメージに対してプリンタＲＩＰによる拡縮を実施して、トナー画像を生成する。
【００６９】
ステップＳ１２において、画像形成部１１１は、生成した拡縮済みのトナー画像に基づいて、両面印字を行う。
【００７０】
［ドキュメントファイリングデータの保存時］
ステップＳ３１において、ＣＰＵ１０１は、ネットワークコントローラ１０４を介して、ホストコンピュータ２００からモードの有無を含むプリンタジョブを受信する。
【００７１】
ステップＳ３２において、ＣＰＵ１０１は、受信したプリンタジョブを参照して、速度優先モードであるか否かを判定する。
速度優先モードでない場合（画質優先モードである場合）には、ステップＳ３２においてＮＯと判定されて、処理はステップＳ３４に進む。
速度優先モードの場合には、ステップＳ３２においてＹＥＳと判定されて、処理はステップＳ３３に進む。
【００７２】
ステップＳ３３において、ＣＰＵ１０１は、拡縮率が変わる用紙面に対して、プリンタＲＩＰによる拡縮を実行して、ラスターイメージを生成する。
【００７３】
ステップＳ３４において、ＣＰＵ１０１は、ラスターイメージと、拡縮率を対応させてＨＤＤ１０３に記憶させる。詳細には、拡縮率をファイリング時ジョブ設定情報として、ラスターイメージと共に印刷ジョブデータを構成してドキュメントファイリングデータとしてＨＤＤ１０３に記憶させる。
【００７４】
［ドキュメントファイリングデータを用いた再印刷時］
ステップＳ５１において、ＣＰＵ１０１は、ＨＤＤ１０３からドキュメントファイリングデータを読み出す。
【００７５】
ステップＳ５２において、ＣＰＵ１０１は、ホストコンピュータ２００からの再印刷指示により、ＨＤＤ１０３ドキュメントファイリングデータから対応する印刷ジョブデータを参照して、ラスターイメージの拡縮率が変更されてプリンタＲＩＰによる拡縮があったか否かを判定する。
プリンタＲＩＰによる拡縮がある場合には、ステップＳ５２においてＹＥＳと判定されて、処理はステップＳ５４に進む。
プリンタＲＩＰによる拡縮がない場合には、ステップＳ５２においてＮＯと判定されて、処理はステップＳ５３に進む。
【００７６】
ステップＳ５３において、画像形成部１１１は、プリンタＲＩＰによる拡縮がなかったため、対応する用紙面に対してＬＳＵ制御による拡縮を実施する。その後、処理はステップＳ５６に進む。
【００７７】
ステップＳ５４において、ＣＰＵ１０１は、ドキュメントファイリングデータの保存時から拡縮の設定に変更があったか否かを判定する。
拡縮の設定に変更がない場合には、ステップＳ５４においてＮＯと判定されて、処理はステップＳ５６に進む。
拡縮の設定に変更がある場合には、ステップＳ５４においてＹＥＳと判定されて、処理はステップＳ５５に進む。
【００７８】
ステップＳ５５において、画像形成部１１１は、プリンタＲＩＰによる拡縮があり、かつ、拡縮の設定に変更があったため、プリンタＲＩＰによる拡縮率を加味して、ＬＳＵ制御による拡縮を実施する。
【００７９】
ステップＳ５６において、画像形成部１１１は、トナー画像に基づいて、所定の拡縮率となるように両面印字を行う。即ち、ファイリング時にプリンタＲＩＰによる拡縮を行っていない場合には、ＬＳＵ制御による拡縮を実行して、印刷を行う。
ファイリング時にプリンタＲＩＰによる拡縮を行っている場合には、拡縮率に変更がなければ、そのまま印刷を行い、拡縮率に変更があれば、プリンタＲＩＰによる拡縮率を加味して、ＬＳＵ制御による拡縮を実行して印刷を行う。
【００８０】
＜第２の実施形態＞
本実施形態では、上述した第１の実施形態における印刷実行処理とは異なる観点で、運用し、印字面が変更になる等の再印刷時に拡縮率が変更になった場合に、対応した拡縮率に変更して印刷を行う。
【００８１】
図９は、図３の構成を有する画像形成装置１によって実行される印刷実行処理の一例を説明するためのフローチャートである。
ステップＳ１０１において、ＣＰＵ１０１は、ホストコンピュータ２００等から再印刷指示を受け付ける。
【００８２】
ステップＳ１０２において、ＣＰＵ１０１は、ＨＤＤ１０３に記憶されるドキュメントファイリングデータから再印刷指示された印刷ジョブデータを読み出す。
【００８３】
ステップＳ１０３において、ＣＰＵ１０１は、再印刷指示が読み出された印刷ジョブデータのファイリング時ジョブ設定情報から変更があったか否かを判定する。
ファイリング時ジョブ設定情報から変更がない場合には、ステップＳ１０３においてＮＯと判定されて、処理はステップＳ１０８に進む。
ファイリング時ジョブ設定情報から変更があった場合には、ステップＳ１０３においてＹＥＳと判定されて、処理はステップＳ１０４に進む。
【００８４】
ステップＳ１０４において、ＣＰＵ１０１は、再印刷指示が読み出された印刷ジョブデータのファイリング時ジョブ設定情報から用紙面の倍率値が異なるか否かを判定する。
用紙面の倍率値と同じである場合には、ステップＳ１０４においてＮＯと判定されて、処理はステップＳ１０８に進む。
用紙面の倍率値と異なる場合には、ステップＳ１０４においてＹＥＳと判定されて、処理はステップＳ１０５に進む。
【００８５】
ステップＳ１０５において、ＣＰＵ１０１は、再印刷指示が読み出された印刷ジョブデータのファイリング時ジョブ設定情報から用紙面の変更があったか否かを判定する。
用紙面の変更がない場合には、ステップＳ１０５においてＮＯと判定されて、処理はステップＳ１０８に進む。
用紙面の変更があった場合には、ステップＳ１０５においてＹＥＳと判定されて、処理はステップＳ１０６に進む。
【００８６】
ステップＳ１０６において、ＣＰＵ１０１は、再印刷指示と、印刷ジョブデータのファイリング時ジョブ設定情報に基づいて、各ページのラスターイメージの補正倍率値を算出する。ＣＰＵ１０１は、上述した補正倍率値の算出式（１）を用いて補正倍率値を算出する。
【００８７】
ステップＳ１０７において、画像形成部１１１は、算出した補正倍率値に基づいて、プリントエンジンの機械的な構造を制御して、ラスターイメージの拡縮を行い印刷する。その後、再印刷処理は終了する。
【００８８】
ステップＳ１０８において、画像形成部１１１は、ラスターイメージを印刷する。その後、再印刷処理は終了する。
【００８９】
＜第３の実施形態＞
本実施形態は、第２の実施形態の構成に、さらに、プリントデータがＨＤＤ１０３等に保存されている場合について、説明する。
再印刷時に拡縮が生じるイベントがあった場合に、プリントデータを保存している場合には、プリンタＲＩＰによる拡縮が可能であるため、プリントデータから拡縮済みのラスターイメージを再生成することで、対応することができる。このため、印刷時には、プリントエンジンの機械的な構造を制御してラスターイメージを拡縮して印刷を行う必要がなくなり、プリンタの印刷速度を低下させることがない。
【００９０】
図１０は、図３の構成を有する画像形成装置１によって実行される印刷実行処理の一例を説明するためのフローチャートである。
具体的には、ステップＳ１０５の後に、プリントデータの有無を判定する処理（ステップＳ１０５−１）を設け、対応するプリントデータがあった場合には、プリントデータから拡縮済みのラスターイメージを再生成する処理（ステップＳ１０５−２）を設けることで構成する。ステップＳ１０８では、再生成したラスターイメージで印刷を行う。
【００９１】
以上のように構成される画像形成装置１は、所定の用紙に対して両面印刷を行う。
また、画像形成装置１は、ＣＰＵ１０１と、ＨＤＤ１０３と、を有する。
ＣＰＵ１０１は、プリントデータからラスターイメージを生成する際に所定の倍率値でラスターイメージの拡縮を行い、拡縮手段となる。
ＨＤＤ１０３は、印刷する用紙の各用紙面に対する倍率値を記憶し、一部の記憶領域が第１記憶手段となる。
ＨＤＤ１０３は、該用紙面に対する倍率値に応じて拡縮されたラスターイメージを記憶し、第１記憶手段となる記憶領域以外の少なくとも一部の記憶領域が第２記憶手段となる。
また、画像形成装置１では、該ＨＤＤ１０３に記憶された所定の倍率値で拡縮されたラスターイメージを該ＨＤＤ１０３から読み出して印刷する際に、両面印刷の設定が変更されたか否かに応じて、該ラスターイメージが印字される印字面の倍率値と、該ラスターイメージ生成時の倍率値から、該ラスターイメージを当該印字面に印刷する際の倍率値を算出し、該算出した倍率値を用いてＣＰＵ１０１によってラスターイメージの拡縮を行って印刷する。
従来の画像形成装置では、ドキュメントファイリングデータの再印刷で、両面印刷から片面印刷変更された場合、両面印刷で用紙第二面への印刷を想定して、拡縮済みのラスタ―イメージを、用紙第一面に印刷されることになるため、そのまま拡縮済みのラスタ―イメージを印刷した場合、所望のトナー画像が得られない。
そこで、上述したように画像形成装置１を構成することにより、拡縮時の拡縮率と用紙の印字面の拡縮率から、該拡縮済みのラスタ―イメージに対する再補正を行うことで、用紙第一面へ印刷した場合でも、所望の大きさおよび印字位置の印刷画像を得ることができる。なお、片面印刷から両面印刷に変更された場合も、同様に倍率修正が必要となる。
【００９２】
また、画像形成装置１では、ドキュメントファイリングデータの再印刷において、算出した倍率値を用いてプリントエンジンの機械的な構造を制御してラスターイメージの拡縮を行い印刷するか否かを、印刷ジョブの設定の変更により、当該ラスターイメージの用紙の印字面が変更となる場合に行う。
画像形成装置１では、印刷ジョブの両面設定が変更されない場合や、白紙プリント禁止設定が変更されていない場合は、用紙の印字面は変わらないため、ラスターイメージの再補正する必要がない。このようにプリントエンジン機械的な構造を制御して印刷する必要ないため、画像形成装置１では、プリント速度を低下させることなく再印刷が可能となる。
【００９３】
また、画像形成装置１では、ドキュメントファイリングデータの再印刷において、算出した倍率値を用いてプリントエンジンの機械的な構造を制御してラスターイメージの拡縮を行い印刷するか否かを、用紙第一面と用紙第二面に対する所定の倍率値が異なる場合に行う。
画像形成装置１では、用紙第一面と用紙第二面とで同じ倍率値が設定されている場合、用紙の印字面が変わっても、ラスターイメージを再補正する必要がない。このようにプリントエンジン機械的な構造を制御して印刷する必要ないため、画像形成装置１では、プリント速度を低下させることなく再印刷が可能となる。
【００９４】
また、画像形成装置１では、ドキュメントファイリングデータの再印刷において、印刷ジョブに白紙ページが含まれている場合に、算出した倍率値を用いてプリントエンジンの機械的な構造を制御してラスターイメージの拡縮を行い印刷するか否かを、ドキュメントファイリングデータ生成時に記憶した白紙ページ数及び白紙ページ位置情報と、再印刷時のジョブ設定情報の白紙ページ印刷許可設定と、から、用紙の印字面が変更となる場合に行う。
したがって、画像形成装置１では、ファイリング時に白紙ページ数及び白紙ページ位置を記憶しておくことにより、再印刷時に白紙ページ禁止設定が変更された場合でも、プリントエンジンの機械的な構造を制御してラスターイメージの拡縮を行い印刷するか否かを判別することで、プリント速度を低下させることなく再印刷が可能となる。
【００９５】
また、画像形成装置１では、第１のモードである画質優先モードと、該第１のモードよりも速度を優先した第２のモードである速度優先モードを有する。
このような画像形成装置１では、該第２のモード下においては、ドキュメントファイリングデータの保存時には、ラスターイメージの拡縮を行い、再印刷時に該ラスターイメージの拡縮を加味して、プリントエンジンの機械的な構造を制御して印刷を行う。
したがって、画像形成装置１では、プリンタＲＩＰによる拡縮を最大限利用することができ、プリンタ生産性を低下させずに、印字倍率合わせが可能となる。
【００９６】
また、画像形成装置１では、第１のモードである画質優先モード下においては、ドキュメントファイリングデータの保存時には、ラスターイメージの拡縮を行わず、再印刷時にプリントエンジンの機械的な構造を制御して印刷を行う。
したがって、画像形成装置１では、画質を低下させることなく、印字倍率合わせが可能となる。
【００９７】
また、画像形成装置１では、保存したプリントデータからラスターイメージの再生成を行う。
したがって、画像形成装置１では、既存のデータを再利用して、簡単、かつ、プリント速度を低下させることなく再印刷を行うことができる。
【００９８】
なお、本発明は、上述の実施形態に限定されるものではなく、本発明の目的を達成できる範囲での変形、改良等は本発明に含まれるものである。
【００９９】
上述の実施形態では、プリントデータや拡縮を実行していないラスターイメージを保存しておき、再印刷時に拡縮が生じた場合に、使用するように構成してもよい。
【０１００】
なお、上記の設定システムに含まれる、各機器のそれぞれは、ハードウェア、ソフトウェア又はこれらの組み合わせにより実現することができる。また、上記の設定システムに含まれる、各機器により行なわれる設定方法も、ハードウェア、ソフトウェア又はこれらの組み合わせにより実現することができる。ここで、ソフトウェアによって実現されるとは、コンピュータがプログラムを読み込んで実行することにより実現されることを意味する。
【０１０１】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【０１０２】
１…画像形成装置，１１…露光ユニット，１２ａ〜１２ｄ…現像器，１３ａ〜１３ｄ…感光体ドラム，１４ａ〜１４ｄ…クリーナユニット，１５ａ〜１５ｄ…帯電器，１６ａ〜１６ｄ…中間転写ローラ，１７…中間転写ベルト，１８…中間転写ベルトユニット，１９…中間転写ベルトクリーニングユニット，２０…給紙トレイ，２１…転写ローラ，２２…定着ユニット，２３…レジストローラ，２４…ヒートローラ，２５…加圧ローラ，２６…手差しトレイ，２７ａ〜２７ｈ…搬送ローラ，２８ａ，２８ｂ…ピックアップローラ，２９…排紙トレイ，１００…プリンタコントローラ，１０１…ＣＰＵ，１０２…ＲＡＭ，１０３…ＨＤＤ，１０４…ネットワークコントローラ，１０５…ビデオコントローラ，１１０…プリントエンジン，１１１…画像形成部，１２０…操作パネル，１７１…中間転写ベルト駆動ローラ，１７２…中間転写ベルト従動ローラ，１７３…中間転写ベルトテンション機構，２００…ホストコンピュータ
【図１】
2018062081.tif 000003
【図２】
2018062081.tif 000004
【図３】
2018062081.tif 000005
【図４】
2018062081.tif 000006
【図５】
2018062081.tif 000007
【図６】
2018062081.tif 000008
【図７】
2018062081.tif 000009
【図８】
2018062081.tif 000010
【図９】
2018062081.tif 000011
【図１０】
2018062081.tif 000012